(57)【要約】【課題】装置の構造を複雑化、高コスト化することなく、全体の機能バランスが良く、しかも、細菌の繁殖を抑えてクリーンな空気を供給することのできる空気清浄加湿機を提供することを目的とする。【解決手段】空気清浄加湿機１０において、空気清浄フィルタ１２を、ケース１１の側面１１ａの全体に設けた。また、送風ファン１４から風路２０を経た空気は、一部が加湿モジュール１５を通り、残部はバイパス風路２１を通り、加湿モジュール１５を透過せずにそのまま吹出口１９から吹き出されるようにした。そして、加湿モジュール１５には、無孔質透湿性材料を用いた透湿性チューブ１５ａを備えることで、透湿性チューブ１５ａが分子レベルの水のみを透過し、雑菌やスケールは透過させず、空気中への雑菌の拡散を常に防止する。【選択図】図２
2010164240.tif 000002
【特許請求の範囲】
【請求項１】
外部から空気を吸い込む吸込口および外部に空気を吹き出す吹出口を備えたケースと、
前記吸込口から前記空気を吸い込み、前記吹出口から前記空気を吹き出す流れを生じさせるファンと、
前記ケース内に設けられ、前記吸込口から吸い込んだ空気から少なくとも粉塵を除去する空気清浄フィルタと、
前記空気清浄フィルタを経た前記空気を加湿する加湿部と、
前記加湿部を経ずに前記吹出口から外部に前記空気を吹き出すバイパス路と、
を備えていることを特徴とする空気清浄加湿機。
【請求項２】
前記空気清浄フィルタは、ケースの複数の側面のうち、最も面積の大きな側面に対向して配置されていることを特徴とする請求項１に記載の空気清浄加湿機。
【請求項３】
前記加湿部への前記空気の透過をＯＮ／ＯＦＦする開閉弁が備えられていることを特徴とする請求項１または２に記載の空気清浄加湿機。
【請求項４】
前記加湿部は、無孔質透湿性材料を用いていることを特徴とする請求項１から３のいずれかに記載の空気清浄加湿機。
【請求項５】
前記空気清浄フィルタを経た空気の流路が、
前記加湿部へと至る第一の流路と、
前記バイパス路に連続する第二の流路と、を備えるとともに、
前記加湿部に送り込む前記空気を加熱するヒータが、前記第一の流路に設けられていることを特徴とする請求項１から４のいずれかに記載の空気清浄加湿機。
【請求項６】
前記ファンは、前記ケース内に複数基が備えられるとともに、それぞれの前記ファンは、前記ケースの幅方向よりも小さな寸法の厚さ方向に沿った面内でファン本体が旋回するよう設けられていることを特徴とする請求項１から５のいずれかに記載の空気清浄加湿機。
【請求項７】
前記ファンは、前記ケースの上面に設けられた前記吹出口の直下に設けられて、風を前記厚さ方向に傾斜した斜め上方に吹き出すことを特徴とする請求項６に記載の空気清浄加湿機。
【発明の詳細な説明】
【技術分野】
【０００１】
本発明は、空気清浄機能と加湿機能を兼ね備えた空気清浄加湿機に関する。
【背景技術】
【０００２】
近年、空気清浄機能と加湿機能を兼ね備えた空気清浄加湿機が提供されている（例えば、特許文献１、２参照。）。
空気清浄加湿機は、ケース内に空気清浄フィルタと、加湿装置と、を備え、送風ファンによって吸込口から吸い込まれた空気が空気清浄フィルタを透過することで、空気中の粉塵、細菌等の除去、脱臭等がなされ、さらに加湿装置において加湿された後、室内へと吹き出される。
【先行技術文献】
【特許文献】
【０００３】
【特許文献１】特開平１１−３１４０４８号公報
【特許文献２】特開２００８−６４４２９号公報
【発明の概要】
【発明が解決しようとする課題】
【０００４】
しかしながら、上記したような従来技術においては、以下に示すような問題が存在する。
空気清浄フィルタは細菌類をほぼ除去できるため、空気清浄フィルタの後段側に加湿フィルタが位置する場合、運転中に、加湿フィルタに空気清浄フィルタ側から細菌類が付着するおそれは少ない。しかしその場合、水槽と吹出口との間には送風ファンがあるだけなので、機器停止中に吹出口側から細菌類が入ってきたり、水槽への給水作業時に水槽内に細菌が入ってきたりして、加湿フィルタ表面に付着し、加湿フィルタの表面で細菌類が繁殖する可能性がある。その状態で空気清浄機を運転すると、繁殖した細菌類は、加湿フィルタを通過する空気に乗って、本体外へ吹き出され、これを吸入する人に悪影響を及ぼすおそれがある。
【０００５】
また、特許文献１に記載の技術においては、空気清浄フィルタを加湿フィルタの空気後流側に配置している。ただし、加湿フィルタを経て加湿された空気を空気清浄フィルタに通した場合、空気清浄フィルタにおける脱臭能力が低下してしまうため、別途コロナ放電により脱臭する構成としている。しかし、このような構成では、臭気成分を脱臭し、かつコロナ放電によって発生するオゾンを分解するガス処理機能材が必要となり、装置構成の複雑化、高コスト化につながるという問題がある。また、装置内部の奥まった位置に空気清浄フィルタを納めるため、フィルタの交換を行いにくいという問題もある。
【０００６】
特許文献２に記載の技術においては、加湿フィルタを上下動可能とし、加湿運転時は加湿フィルタの下端を加湿トレイに水没させ、加湿運転を行わないときには、加湿フィルタの下端を加湿トレイの水面から上昇させて乾燥させるようにし、これによって細菌の繁殖を抑えるものとなっている。
しかしながら、このような構成では、加湿フィルタを上下動させるための機構が必要となり、部品数が増えて装置が複雑化、高コスト化するうえ、可動部分の故障の恐れが生じる。
【０００７】
さらに、空気清浄フィルタにおいて、所要の空気清浄性能を得ようとした場合の空気流量と、加湿フィルタにおいて所要の加湿性能を得ようとした場合の空気流量とは大きな隔たりがある。例えば、加湿フィルタにおいて所要の加湿性能を得ようとした場合の空気流量を１とした場合、同じ部屋において空気清浄フィルタにおいて所要の空気清浄性能を得ようとした場合の空気流量は３以上となる。
したがって、加湿性能に合わせて全体を設計すれば、所要の空気清浄性能が得られず、逆に空気清浄性能に合わせて全体を設計すれば、加湿フィルタにおいては余剰の空気流量となり、全体として効率の良い設計を行うのが困難となっている。
【０００８】
本発明は、このような技術的課題に基づいてなされたもので、装置の構造を複雑化、高コスト化することなく、細菌の繁殖を抑えてクリーンな空気を供給することができ、しかも全体の機能バランスの良い空気清浄加湿機を提供することを目的とする。
【課題を解決するための手段】
【０００９】
かかる目的のもと、本発明の空気清浄加湿機は、外部から空気を吸い込む吸込口および外部に空気を吹き出す吹出口を備えたケースと、吸込口から空気を吸い込み、吹出口から空気を吹き出す流れを生じさせるファンと、ケース内に設けられ、吸込口から吸い込んだ空気から少なくとも粉塵を除去する空気清浄フィルタと、空気清浄フィルタを経た空気を加湿する加湿部と、加湿部を経ずに吹出口から外部に空気を吹き出すバイパス路と、を備えていることを特徴とする。
これにより、空気清浄フィルタを経た空気は、一部が加湿部で加湿されて吹出口から吹き出され、残部が加湿部を経ずにバイパス路から吹出口に送られる。したがって、空気清浄フィルタを透過する空気の流量と、加湿部を透過する空気の流量とを異ならせることができる。
【００１０】
ここで、空気清浄フィルタは、ケースの複数の側面のうち、最も面積の大きな側面に対向して配置するのが好ましい。これにより、空気清浄フィルタ面積を大きく確保することができ、空気清浄能力を高めることができる。
【００１１】
また、加湿部への空気の透過をＯＮ／ＯＦＦする開閉弁を備えるのが好ましい。これにより加湿部に空気を透過させず、バイパス路のみを透過させることで、加湿を行わずに空気清浄のみを行う運転モードを備えることができる。
【００１２】
また、加湿部は、無孔質透湿性材料を用いて形成するのが好ましい。無孔質透湿性材料は、分子レベルの水のみを透過し、雑菌やスケールは透過させないため、万が一、加湿部の給水タンク等に細菌が侵入して繁殖してしまっても、無孔質透湿性材料を透過した加湿空気には細菌類が入り込むことの無い構成とすることができる。
【００１３】
空気清浄フィルタを経た空気の流路は、加湿部へと至る第一の流路と、バイパス路に連続する第二の流路と、を備えるとともに、加湿部に送り込む空気を加熱するヒータが、第一の流路に設けられた構成とすることもできる。ヒータが加湿部へと至る第一の流路に設けられることで、ヒータでは、加湿部に送り込まれる空気のみを加熱すればよく、効率の良い加熱を行える。
【００１４】
ファンは、ケース内に複数基が備えられるとともに、それぞれのファンは、ケースの幅方向よりも小さな寸法の厚さ方向に沿った面内でファン本体が旋回するよう設けることもできる。
また、このファンは、ケース内のいかなる位置に配置しても良いが、ケースの上面に設けられた吹出口の直下にファンを設け、風をケースの厚さ方向に傾斜した斜め上方に吹き出すようにするのが好ましい。
【発明の効果】
【００１５】
本発明によれば、加湿部を経ずに吹出口から外部に空気を吹き出すバイパス路を備えることで、空気清浄フィルタを経た空気は、一部が加湿部で加湿され、残部が加湿部を経ずにバイパス路から吹出口に送られる。したがって、空気清浄フィルタを透過する空気の流量と、加湿部を透過する空気の流量とを異ならせることができる。これにより、空気清浄フィルタにおいて所要の空気清浄性能を得ようとした場合の空気流量と、加湿部において所要の加湿性能を得ようとした場合の空気流量とのバランスを取ることができ、全体として効率の良い設計を行うことが可能となる。
【００１６】
また、空気清浄フィルタを、ケースの複数の側面のうち、最も面積の大きな側面に対向して配置することで、空気清浄フィルタ面積を大きく確保することができる。その結果、空気清浄効率を最大限に確保することができ、空気清浄フィルタにおける通過圧力損失を抑制することができる。
【００１７】
さらに、加湿部を無孔質透湿性材料を用いて形成することで、万が一、加湿部の給水タンク等に細菌が侵入して繁殖してしまっても、無孔質透湿性材料を透過した加湿空気には細菌類が入り込むことの無い構成とすることができ、空気中への雑菌の拡散を常に防止することができる。
【図面の簡単な説明】
【００１８】
【図１】第一の実施形態における空気清浄加湿機の構成を示す斜視図である。
【図２】図１に示した空気清浄加湿機の断面を示す図であり、（ａ）は正断面図、（ｂ）は（ａ）の左側断面図、（ｃ）は平断面図である。
【図３】第二の実施形態における空気清浄加湿機の構成を示す斜視図である。
【図４】図３に示した空気清浄加湿機の断面を示す図であり、（ａ）は正断面図、（ｂ）は（ａ）の左側断面図、（ｃ）は平断面図である。
【図５】第三の実施形態における空気清浄加湿機の構成を示す斜視図である。
【図６】図５に示した空気清浄加湿機の断面を示す図であり、（ａ）は正断面図、（ｂ）は（ａ）の左側断面図、（ｃ）は平断面図である。
【発明を実施するための形態】
【００１９】
以下、添付図面に示す実施の形態に基づいてこの発明を詳細に説明する。
[第一の実施形態]
図１、図２は、本実施の形態における空気清浄加湿機１０の全体構成を説明するための図である。
図１、図２に示すように、空気清浄加湿機１０は、外殻を形成するケース１１内に、空気清浄フィルタ１２、ヒータ１３、送風ファン（ファン）１４、加湿モジュール（加湿部）１５、イオン交換フィルタ１６、給水タンク１７を内蔵している。
ケース１１の側面には吸込口１８が設けられ、上面には吹出口１９が設けられている。送風ファン１４が作動すると、ケース１１の外部の空気が吸込口１８から内部に吸い込まれ、空気清浄フィルタ１２、加湿モジュール１５等を経て、吹出口１９から外部に吹き出される。
【００２０】
ここで、吸込口１８は、ケース１１において最も面積の大きな側面１１ａに形成され、空気清浄フィルタ１２は、吸込口１８の背面全面を覆うように設けられている。これにより、空気清浄フィルタ１２における透過空気量を大きく確保している。
【００２１】
ヒータ１３は、空気清浄フィルタ１２の背面側に配置されており、空気清浄フィルタ１２を透過した空気の一部がヒータ１３を透過し、加熱される。これにより、空気全体を加熱することができ、加湿モジュール１５における加湿を効率よく行える。
【００２２】
送風ファン１４は、遠心式のシロッコファンであり、空気清浄フィルタ１２に平行な面内で旋回する翼（図示無し）が、空気清浄フィルタ１２に対向する側とは反対側の面に設けられたモータ１４ｍによって旋回することで、空気清浄フィルタ１２に対向する側に設けられるファン吸込口１４ａから空気を吸い込み、それを外周側のファン排出路１４ｂから排出する。
ファン排出路１４ｂは、ケース１１において、空気清浄フィルタ１２が設けられた側面１１ａに隣接する側面１１ｂに沿って、翼の接線方向であり、かつケース１１の底部に向けて延長形成されている。このファン排出路１４ｂは、ケース１１の側面１１ｂにおいて、ケース１１の幅Ｗ１に対し、空気清浄フィルタ１２が設けられている厚さＴを除いたなるべく大きな幅Ｗ２を有している。
ケース１１の底部には、ケース１１の底面に沿ってファン排出路１４ｂに連続して、ほぼ同じ幅Ｗ２を有する風路２０が形成されている。
【００２３】
加湿モジュール１５は、ケース１１の底部において、風路２０の上方を覆うように配置されている。
加湿モジュール１５は、例えば特開２００４−１０１１６１号公報に開示された技術を適用することができる。すなわち、加湿モジュール１５は、給水タンク１７から供給される水を水蒸気化する。このため、加湿モジュール１５は、無孔質透湿性材料からなり、例えばチューブ状に形成した透湿性ポリウレタン、すなわち透湿性チューブ１５ａを複数林立させて備えている。これら複数の透湿性チューブ１５ａは、水槽１５ｂの底面に形成された複数の孔にそれぞれ接続されている。ここで、透湿性チューブ１５ａの材料となる透湿性ポリウレタンは、イソシアネート成分と、鎖延長剤ジオール成分と、ポリオール成分とが少なくとも原料として用いられ、これら原料が反応させられて得られるものである。
給水タンク１７は水槽１５ｂよりも高い位置に配置され、水槽１５ｂに図示しない配管を通じて接続されており、水に作用する重力を利用して水槽１５ｂに水を供給する。
【００２４】
このような加湿モジュール１５は、給水タンク１７に水を入れると、図示しない配管を通じて、重力によって加湿モジュール１５の水槽１５ｂに水が供給され、透湿性チューブ１５ａの上端よりも低い位置で水位が一定に保たれるようになっている。各透湿性チューブ１５ａの外表面は、水位より低い位置では、水と接した状態である。
この状態で、風路２０から水槽１５ｂの底面に形成された孔を通じて各透湿性チューブ１５ａの内部に風が流れ込むと、透湿性チューブ１５ａの内外の湿度の不均衡をドライビングフォースとして、透湿性チューブ１５ａの内側に水分が分子レベルで透過される。透湿性チューブ１５ａを透過した水分は水蒸気となり、順次送風ファン１４によって送り込まれる空気によって透湿性チューブ１５ａの上端部から押し出され、これによって加湿モジュール１５から加湿空気が供給される。
【００２５】
このような加湿モジュール１５は、ヒータ１３を作動させなくとも液体の水分を水蒸気に変えることができるので、一定の性能を発揮し、室内に自然な湿度環境を作り出すことが可能であり、無駄にエネルギーを消費しない点が大きなメリットである。本実施形態におけるヒータ１３は、加湿モジュール１５における加湿能力を調節する場合に作動させるものである。ヒータ１３を作動させると、送風ファン１４によって加湿モジュール１５に送り込まれる空気がヒータ１３に加熱されて乾燥し、相対湿度を低下させるので、ヒータ１３を作動させない場合に比べてより多くの水分が透過して水蒸気が生み出される。ヒータ１３による加熱の度合いを調節すれば、所望の湿度環境を作り出すことも可能になる。
【００２６】
さて、上記の加湿モジュール１５は、ケース１１の側面１１ｂの幅方向において、中央部に配置されている。そして、ケース１１内において、加湿モジュール１５に対し、ケース１１において空気清浄フィルタ１２が設けられた側とは反対側の側面１１ｃ側に、吹出口１９の直下に位置するバイパス風路（バイパス路）２１が形成されている。このバイパス風路２１は、風路２０を通る空気の一部を、加湿モジュール１５を透過せず、そのまま吹出口１９から吹き出すためのものである。
加湿モジュール１５の側方とバイパス風路２１との間には、仕切り壁２２が形成されている。この仕切り壁２２は、加湿モジュール１５の透湿性チューブ１５ａの上端部とほぼ同じ高さ、またはそれよりも高い位置まで延長形成されている。
加湿モジュール１５を経た加湿空気と、バイパス風路２１を経た空気は、仕切り壁２２の下流側、すなわち仕切り壁２２の上方において合流し、そのまま上方の吹出口１９から吹き出される。
【００２７】
上述したような構成によれば、無孔質透湿性材料を用いた加湿モジュール１５においては、透湿性チューブ１５ａが分子レベルの水のみを透過し、雑菌やスケールは透過させないため、万が一、給水タンク１７に細菌が侵入して繁殖してしまっても、加湿モジュール１５を透過した加湿空気には細菌類が入り込むことは無い。したがって、空気中への雑菌の拡散を常に防止することができる。
また、空気清浄フィルタ１２が、ケース１１の側面１１ａの全体に設けられているため、広い面積を確保することができる。これにより、空気清浄効率を最大限に確保することができ、空気清浄フィルタ１２における通過圧力損失を抑制することができる。
さらに、送風ファン１４から風路２０を経た空気は、一部が加湿モジュール１５を通り、残部はバイパス風路２１を通り、加湿モジュール１５を透過せずにそのまま吹出口１９から吹き出される。これにより、空気清浄フィルタ１２において所要の空気清浄性能を得ようとした場合の空気流量と、加湿モジュール１５において所要の加湿性能を得ようとした場合の空気流量とのバランスを取ることができ、全体として効率の良い設計を行うことが可能となっている。
【００２８】
なお、上記実施の形態において、加湿機能をＯＮ／ＯＦＦできる装置構成とすることも可能である。その場合、例えば、仕切り壁２２の上端部に、加湿モジュール１５を経た加湿空気がバイパス風路２１に合流する部分を閉塞する開閉式の弁機構２５を設け、この弁機構２５を開閉動作させるようにすればよい。これに代えて、加湿モジュール１５に空気を透過させないようにする適宜の機構を用いても良い。
【００２９】
[第二の実施形態]
次に、本発明に係る第二の実施形態について説明する。
なお、以下に説明する空気清浄加湿機３０は、基本的な構成は上記第一の実施形態で示した空気清浄加湿機１０と同様であるので、以下においてはその相違点を中心に説明し、空気清浄加湿機１０と共通する構成については、同符号を付してその説明を省略する。
図３、図４に示すように、空気清浄加湿機３０はケース１１内に、空気清浄フィルタ１２、ヒータ３３、送風ファン１４、加湿モジュール１５、イオン交換フィルタ１６、給水タンク１７を内蔵し、送風ファン１４が作動すると、ケース１１の外部の空気が、側面１１ａに設けられた吸込口１８から内部に吸い込まれ、空気清浄フィルタ１２、加湿モジュール１５を経た空気が、吹出口１９から外部に吹き出される。
【００３０】
送風ファン１４を経た風が排出されるファン排出路１４ｂには、仕切り板３４が設けられており、加湿モジュール１５に至る風の流路（第一の流路）Ｒ１と、バイパス風路２１へと至る風の流路（第二の流路）Ｒ２とが仕切られている。
【００３１】
そして、ヒータ３３は、仕切り板３４によって二つに仕切られたファン排出路１４ｂにおいて、加湿モジュール１５に至る風の流路Ｒ１内に配置されている。
【００３２】
このような空気清浄加湿機３０では、送風ファン１４が作動すると、空気清浄フィルタ１２を経た空気は、ファン排出路１４ｂにおいて、仕切り板３４により、加湿モジュール１５に至る風の流路Ｒ１と、バイパス風路２１へと至る風の流路Ｒ２とに分岐する。そして、流路Ｒ１を通る風は、ヒータ３３で加熱された後に加湿モジュール１５を透過することで加湿され、流路Ｒ２を通る風は、加湿モジュール１５を透過せずにバイパス風路２１を通り、そのまま吹出口１９から吹き出す。
【００３３】
このとき、ヒータ３３は、仕切り板３４によって二つに仕切られたファン排出路１４ｂにおいて、加湿モジュール１５に至る風の流路Ｒ１内に配置されているので、バイパス風路２１に送り込まれる空気は加熱せず、加湿モジュール１５に送り込まれる空気のみを加熱することになる。したがって、ヒータ３３における加熱を効率よく行うことができ、これは加湿効率を高めることにもつながる。
【００３４】
[第三の実施形態]
次に、本発明にかかる第三の実施形態について説明する。
なお、以下に説明する空気清浄加湿機４０は、小型化を主目的として、小型の送風ファン４４を２基備えた例である。上記第一の実施形態で示した空気清浄加湿機１０と共通する構成については、同符号を付してその説明を省略する。
図５、図６に示すように、空気清浄加湿機４０はケース１１内に、空気清浄フィルタ１２、ヒータ１３、加湿モジュール１５、イオン交換フィルタ１６、給水タンク１７、２基の送風ファン４４、を内蔵する。
【００３５】
空気清浄加湿機４０においては、送風ファン４４、４４の少なくとも一つが作動すると、ケース１１の外部の空気が、側面１１ａに設けられた吸込口１８から内部に吸い込まれ、空気清浄フィルタ１２、加湿モジュール１５を経た空気が、吹出口１９から外部に吹き出される。
ここで、ケース１１内において、側面１１ａに沿って空気清浄フィルタ１２が設けられている点は上記第一の実施形態と同様であるが、空気清浄フィルタ１２の背面側に配置されたヒータ１３で加熱された空気は、ケース１１の底部に形成された風路２０を経て、一部が加湿モジュール１５に押し込まれて加湿され、残部は加湿モジュール１５を通らず、ケース１１の側面１１ｃ側に形成されたバイパス風路２１を経る。
【００３６】
加湿モジュール１５、バイパス風路２１を経た空気は、ケース１１の上部に設けられた送風ファン４４、４４に吸い込まれ、ケース１１の上部に設けられた吹出口３９から室内に吹き出される。
【００３７】
ここで、送風ファン４４、４４は、空気清浄フィルタ１２に直交する面内（側面１１ａ、１１ｃを結ぶ方向）でファン翼（図示無し）が旋回するよう設けられている。そして、各送風ファン４４は、互いに隣接する送風ファン４４に対向する側にファン吸込口４４ａを有し、他方の側にファン翼を回転させるモータ４４ｍを備えている。これにより、加湿モジュール１５を経て加湿された空気、およびバイパス風路２１を経た空気は、送風ファン４４、４４のファン吸込口から吸い込まれ、ケース１１の上面に形成された吹出口３９から吹き出される。
【００３８】
このようにして、送風ファン４４、４４を２基備える構成とすると、例えば図１に示した第一実施形態における送風ファン１４と同等の送風能力を確保しながらも、ケース１１の高さを低く抑えることができ、空気清浄加湿機４０の小型化を図ることができる。
また、送風ファン４４、４４は、ケース１１内におけるもっとも下流側に配置し、送風ファン４４、４４は、空気清浄フィルタ１２に直交する面内でファン翼（図示無し）が旋回するよう設けられている。これにより、送風ファン４４、４４を経た風は、吹出口３９から、空気清浄フィルタ１２から離間する側に傾斜した斜め上方に吹き出す構成とすることができる。一方、例えば、図１に示した第一実施形態における送風ファン１４を、単純にケース１１内におけるもっとも下流側に配置すると、送風ファン１４を経た風は、ケース１１の横方向（厚さ方向と直交する方向）に吹き出すことになる。
一般に、この空気清浄加湿機４０のように箱状をなした装置は、ケース１１において、幅の広い側面１１ａに沿った方向を壁や家具等に沿わせて配置する。また、空気清浄加湿機４０に限らず、一般的な空気清浄加湿機や、加湿器、空気清浄機等においては、吹き出す風を、室内中心側に向ける。したがって、吹出口３９からケース１１の横方向（幅の広い側面１１ａに沿った方向）に吹き出す装置構成は、空気清浄加湿機４０の使用形態としても不自然であり、上記本実施形態における構成は、空気清浄加湿機４０の使用形態にマッチしたものとなる。
ちなみに、このような理由があるが故、上記第一および第二の実施形態における空気清浄加湿機１０、３０においては、送風ファン１４を加湿モジュール１５よりも上流側に配置するとともに、吹出口３９へと至る風路２０、バイパス風路２１等をレイアウトすることで、吹出口３９からの吹出し方向が、空気清浄フィルタ１２から離間する側に傾斜した斜め上方にとなるようにしている。
【００３９】
また、このように送風ファン４４、４４を２基備える構成においては、１基を停止させた運転モードとすることもでき、したがって、より細かい流量制御が行える。
【００４０】
なお、上記実施形態においては、２基の送風ファン４４、４４のそれぞれに駆動モータ４４ｍ、４４ｍを備える構成としたが、これらは同軸駆動として、ひとつの駆動モータで駆動することも可能である。
【００４１】
なお、上記各実施形態で示した構成は、本発明の主旨を逸脱しない限り、上記実施の形態で挙げた構成を取捨選択したり、他の構成に適宜変更することが可能である。
【符号の説明】
【００４２】
１０…空気清浄加湿機、１１…ケース、１２…空気清浄フィルタ、１３…ヒータ、１４…送風ファン（ファン）、１５…加湿モジュール（加湿部）、１５ａ…透湿性チューブ、１５ｂ…水槽、１８…吸込口、１９…吹出口、２０…風路、２１…バイパス風路（バイパス路）、２５…弁機構（開閉弁）、３０…空気清浄加湿機、３３…ヒータ、３４…仕切り板、３９…吹出口、４０…空気清浄加湿機、４４…送風ファン、Ｒ１…流路（第一の流路）、Ｒ２…流路（第二の流路）
【図１】
2010164240.tif 000003
【図２】
2010164240.tif 000004
【図３】
2010164240.tif 000005
【図４】
2010164240.tif 000006
【図５】
2010164240.tif 000007
【図６】
2010164240.tif 000008